(57)【要約】【課題】簡単な構造で、必要なディスクの枚数に対応して収納場所を増やして必要量のディスクを収容することができ、ディスクの保護も確実に行うことができる加除式ディスクケースを提供する。【解決手段】袋形のカバー部材３２と、カバー部材３２の内周面に取り付けられた緩衝性を有するクッション材４４と、カバー部材３２の開口部を閉鎖する止め部４０を有する。カバー部材３２の側面に設けられた連結部３４と、カバー部材３２の側面の連結部３４と反対側に設けられ連結部３４が連結される被連結部３６を備える。カバー部材を３２覆う外装部材４８を備え、外装部材４８は、カバー部材３２の連結部３４が連結される溝部５８を複数有する。【選択図】図２
2008290765.tif 000002
【特許請求の範囲】
【請求項１】
袋形のカバー部材と、前記カバー部材の内周面に取り付けられた緩衝性を有するクッション材と、前記カバー部材の側面に設けられた連結部と、前記カバー部材の側面の前記連結部と反対側に設けられ前記連結部が連結される被連結部が設けられていることを特徴とする加除式ディスクケース。
【請求項２】
前記カバー部材を覆う外装部材が設けられ、前記外装部材には、前記カバー部材の前記連結部が連結される溝部または前記被連結部が連結される凸条部が複数個設けられていることを特徴とする請求項１記載の加除式ディスクケース。
【請求項３】
矩形の箱形カバーと、前記箱形カバーに入れられ緩衝性を有するクッション材と、前記クッション材に形成された凹部である収容空間が複数設けられていることを特徴とする加除式ディスクケース。
【請求項４】
緩衝性を有する袋本体と、前記袋本体に形成された綴じ代と、前記袋本体の綴じ代が取り付けられた綴じ部が設けられていることを特徴とする加除式ディスクケース。
【発明の詳細な説明】
【技術分野】
【０００１】
この発明は、ＣＤやＭＤ等を収容する空間が設けられている加除式ディスクケースに関する。
【背景技術】
【０００２】
従来、ＣＤやＭＤ、ＤＶＤ等のディスクは、市販時には樹脂製ケースに収納されている。しかし複数枚のディスクを収納し簡単に取り出すために、いろいろなケースが提供されている。また、ディスクの収容量を必要に応じて増減できるものがあった。例えば、特許文献１のＣＤケースは、底座と上蓋の間に若干のＣＤシート装置が設けられている。ＣＤ装置は、スライドシートと、スライドシート内をスライド自在に設けられたスライドボードと、前記スライドシートと前記スライドボードの間に位置する弾性装置が設けられている。スライドボードにはＣＤが収置されている。弾性装置は、スライドシートに対してスライドボードを外側に付勢している。スライドボードには押し片が設けられ、押し片にはスライドシートに係止される係止ブロックが設けられている。
【０００３】
このＣＤケースからＣＤを取り出すときは、使用者が押し片を押し下げる。これにより押し片の係止ブロックがスライドシートから離れ、弾性装置によりスライドボードはＣＤを乗せた状態で外側に突出し、ＣＤが露出し、取り出すことができる。また、このＣＤケースは、同形のＣＤシート装置を上下に係止可能であり、必要な枚数のＣＤが収納可能な多層式のＣＤケースとなる。
【特許文献１】実登３０６０９１３号公報
【発明の開示】
【発明が解決しようとする課題】
【０００４】
上記特許文献１の技術の場合、構造が複雑で部品点数が多く、組立が面倒であり、コストも掛かるものであった。
【０００５】
この発明は、上記従来の技術の問題点に鑑みてなされたものであり、簡単な構造で、必要なディスクの枚数に対応して収納場所を増やして必要量のディスクを収容することができ、ディスクの保護も確実に行うことができる加除式ディスクケースを提供することを目的とする。
【課題を解決するための手段】
【０００６】
本発明は、袋形のカバー部材と、前記カバー部材の内周面に取り付けられた緩衝性を有するクッション材と、前記カバー部材の開口部を閉鎖する止め部と、前記カバー部材の側面に設けられた連結部と、前記カバー部材の側面の前記連結部と反対側に設けられ前記連結部が連結される被連結部が設けられている加除式ディスクケースである。
【０００７】
前記カバー部材を覆う外装部材が設けられ、前記外装部材には、前記カバー部材の前記連結部が連結される溝部または前記被連結部が連結される凸条部が複数個設けられている。前記外装部材は箱形であり、箱形の側面内側に前記被連結部が設けられている。
【０００８】
また、矩形の箱形カバーと、前記箱形カバーに入れられ緩衝性を有するクッション材と、前記クッション材に形成された凹部である収容空間が複数設けられている加除式ディスクケースである。
【０００９】
また、緩衝性を有する袋本体と、前記袋本体の開口部を開閉する開閉部材と、前記袋本体に形成された綴じ代と、前記袋本体の綴じ代が取り付けられた綴じ部が設けられているものである。前記袋本体は、内側に仕切りが設けられ、仕切りにより収容空間が複数個設けられている。
【発明の効果】
【００１０】
本発明の加除式ディスクケースは、簡単な構造で、必要なディスクの枚数に対応して収納場所を増やし、必要量のディスクを収容することができる。また、単独での持ち運びが可能であり、収納時にはまとめておくことができ、高い緩衝作用を有し、ディスクを安全に保管や運搬することができる。
【発明を実施するための最良の形態】
【００１１】
以下、この発明の実施形態について図面に基づいて説明する。図１はこの発明の第一実施形態を示すもので、この実施形態の加除式ディスクケース１０は、矩形で上方が開口された箱形カバー１２が設けられ、箱形カバー１２の一側面の、開口縁１２ａ近傍には、スナップボタン等の係止部材１４が取り付けられている。箱形カバー１２は、例えば塩化ビニール等で作られている。箱形カバー１２の、係止部材１４が設けられている側面と反対側の側面の開口縁１２ａには、開口縁１２ａを閉鎖する上蓋片１６が回動可能に連続して設けられている。上蓋片１６の先端部１６ａには、重ね片１８が連続して設けられ、重ね片１８には係止部材１４に着脱可能に係止される被係止部２０が設けられている。
【００１２】
箱形カバー１２の内側には、エアーキャップ（登録商標）等の緩衝材で作られたクッション材２２が設けられ、クッション材２２の中に、凹部である収容空間２４が設けられている。収容空間２４の水平方向の形状は一方向に長い矩形であり、垂直方向の形状はほぼ正方形であり、ＣＤやＭＤ、ＤＶＤ、ＣＤ−ＲＯＭ等の記録媒体であるディスク２６のケース２８が垂直に入れられる大きさと形状である。収容空間２４の幅、つまりケース２８の厚み方向の長さはケース２８の一枚分とほぼ同じ程度である。収容空間２４は、ここでは３個が互いに平行に設けられている。なお、収容空間２４の数は適宜変更可能である。
【００１３】
次にこの実施形態の加除式ディスクケース１０の使用方法について説明する。まず、加除式ディスクケース１０の収容空間２４に、ディスク２６を収容したケース２８を入れる。そして、上蓋片１６を倒して箱形カバー１２の開口縁１２ａを閉じて、重ね片１８を箱形カバー１２の側面に沿って折り曲げ、重ね片１８の被係止部２０を箱形カバー１２の係止部材１４に係合して閉鎖する。そして、ディスク２６の保管や運搬を行う。
【００１４】
この実施形態の加除式ディスクケース１０によれば、簡単な構造でディスク２６を安全に保持して運搬することができる。ディスク２６のケース２８は必要な枚数を入れることができ、適宜収納枚数を増減することができる。
【００１５】
次にこの発明の第二実施形態について、図２、図３に基づいて説明する。この実施形態の加除式ディスクケース３０は、袋形のカバー部材３２が設けられ、カバー部材３２は塩化ビニール等で作られている。カバー部材３２の側面には、連結部３４が設けられている。連結部３４は、カバー部材３２の深さ方向に沿って一定形状に形成された突条であり、深さ方向に交差する断面形状は略円形である。カバー部材３２の側面の、連結部３４と反対側には、被連結部３６が設けられている。被連結部３６は、カバー部材３２の深さ方向に沿って一定形状に形成された突起であり、深さ方向に交差する断面形状は、連結部３４を嵌合する半円筒形である。被連結部３６は、カバー部材３２から離れた部分が開口している。
【００１６】
カバー部材３２の開口縁３２ａ近傍には、連結部３４と被連結部３６の中間付近に、係止部材３８が設けられている。係止部材３８と反対側には、開口縁３２ａを閉じる止め部４０が設けられている。止め部４０は、開口縁３２ａに対してほぼ直角に上方へ突出する帯体であり、止め部４０の先端付近には係止部材３８に着脱可能に係止される係止部４２が設けられている。カバー部材３２の内周面には、気泡式緩衝材や発泡材等で作られたクッション材４４が設けられている。
【００１７】
次にこの実施形態の加除式ディスクケース３０の使用方法について説明する。加除式ディスクケース３０の内側にディスク２６を収容したケース２８を入れる。そして、止め部４０を折り曲げて止め部４０の係止部４２をカバー部材３２の係止部材３８に係合して開口縁３２ａを閉鎖する。ケース２８を収容した加除式ディスクケース３０は、図３に示すように同形の加除式ディスクケース３０同士を並べ、連結部３４を隣接する加除式ディスクケース３０の被連結部３６の内側に嵌合させて連結する。そして、連結する加除式ディスクケース３０の数は、必要に応じて変更可能である。
【００１８】
この実施形態の加除式ディスクケース３０によれば、上記実施形態と同様の効果を有するものである。加除式ディスクケース３０は一つのみで使用してもよく、多数を連結して使用してもよく、ディスク２６のケース２８の収容量を自由に変更することができる。複数枚のディスク２６のケース２８を収容するときは、袋形のカバー部材３２を連結するだけなのでコンパクトで軽量であり、持ち運びに便利である。
【００１９】
次にこの発明の第三実施形態について、図４、図５に基づいて説明する。この実施形態の加除式ディスクケース４６は、上記第二実施形態と同様に、袋形のカバー部材３２が設けられ、カバー部材３２の側面には連結部３４が設けられている。カバー部材３２の開口縁３２ａには、係止部材３８と止め部４０、係止部４２が設けられている。カバー部材３２の内周面にはクッション材４４が設けられている。
【００２０】
加除式ディスクケース４６には、カバー部材３２を取り付ける外装部材４８が設けられている。外装部材４８は、一定厚みの取付面部材５０，５２，５４，５６が、互いに平行に連接して形成されている。取付面部材５０，５２，５４，５６は、連接している幅方向は同じ長さであり、連接方向の長さは取付面部材５０，５４が長くて互いにほぼ等しく、取付面部材５２，５６は短くて互いにほぼ等しい。取付面部材５０，５２，５４，５６は、互いに９０度に折り曲げ可能に連結され、９０度に折り曲げることにより四角の筒形に組み立てられる。取付面部材５６の側縁部５６ａには、筒形に組み立てたときに取付面部材５０に係止される止め部５７が外側に突出して設けられている。
【００２１】
取付面部材５０，５４の内壁部には、カバー部材３２の連結部３４が着脱可能に嵌合される溝部５８が形成されている。溝部５８は、取付面部材５０，５２，５４，５６の連接している幅方向に沿って一定形状に形成され、断面形状は、連結部３４を嵌合する半円筒形である。溝部５８の一方の端部は、取付面部材５０，５４の一方の端部５０ａ，５４ａに貫通し、他方の端部は取付面部材５０，５４の反対側の端部５０ｂ，５４ｂ近傍で止められている。溝部５８は、ここでは取付面部材５０，５４に各々４個設けられ、溝部５８に取り付けられたカバー部材３２が一方向に倒されて収納可能に、一方の側縁部近傍に密に設けられている。
【００２２】
取付面部材５０の端部５０ａには、取付面部材５０，５２，５４，５６を筒形に組み立てたときに、筒形の開口部の半分を閉鎖する上蓋片６０が連続して設けられている。上蓋片６０は、端部５０ａの外側の縁部分に連結され、端部５０ａに開口された溝部５８を覆うことがない。反対側の端部５０ｂには、上蓋片６０と同様に筒形の開口部の半分を閉鎖する下蓋片６２が連続して設けられている。取付面部材５４の端部５４ａには、取付面部材５０，５２，５４，５６を筒形に組み立てたときに、筒形の開口部の残りの半分を閉鎖する上蓋片６４が設けられ、端部５４ｂには下蓋片６６が設けられている。下蓋片６６には、組み立て状態で下蓋片６２に係止される止め部６８が設けられている。
【００２３】
次にこの実施形態の加除式ディスクケース４６の使用方法について説明する。加除式ディスクケース４６のカバー部材３２の中にディスク２６を収容したケース２８を入れる。そして、止め部４０を閉める。次に、ケース２８を収容したカバー部材３２を外装部材４８に取り付ける。このとき、カバー部材３２の連結部３４を、取付面部材５０の端部５０ａから溝部５８に差し込み、溝部５８に沿って移動させて取付面部材５０の中心付近に位置すると溝部５８の端部で行き止まりとなり、位置決めされる。取付面部材５４の溝部５８にもディスク２６のケース２８を入れたカバー部材３２を必要な枚数を取り付ける。
【００２４】
カバー部材３２を取り付けた後、取付面部材５０，５２，５４，５６を四角の筒状に組み立て、止め部５７で取付面部材５０と取付面部材５６を係止する。上蓋片６０，６４を取付面部材５０，５４に対して９０度に内側に折り曲げて、上方の開口部を閉じる。次に下蓋片６２，６６を取付面部材５０，５４に対して９０度に内側に折り曲げて、下方の開口部を閉じる。上蓋片６０，６４及び下蓋片６２，６６は、止め部６８で係止する。なお、組み立てる順番は適宜変更可能であり、カバー部材３２を取付面部材５０，５４に予め取り付け、その後でディスク２６を収納したケース２８をカバー部材３２に入れてもよい。カバー部材３２は、第二実施形態と同様に被連結部３６が設けられていても良い。取付面部材５０，５４には、溝部５８の代わりに凸条が形成され、溝状の被連結部が係合するようにしたものでも良い。
【００２５】
この実施形態の加除式ディスクケース４６によれば、上記各実施形態と同様の効果を有するものである。カバー部材３２を外装部材４８で包むため、多数のディスク２６のケース２８をコンパクトに収容して、運びやすくすることができる。外装部材４８を広げるとカバー部材３２は取付面部材５０，５４に片綴じ状態になるため、目的のディスク２６のケース２８を探しやすく、また取り出しやすくなる。
【００２６】
なお、この実施形態のカバー部材３２は、図６に示すように連結部３４とカバー部材３２の間に薄いヒレ部７０が設けられていてもよい。ヒレ部７０は、カバー部材３２から一定の突出量を有し、先端に連結部３４が一体に形成されている。ヒレ部７０が設けられたカバー部材３２は、外装部材４８の溝部５８に取り付けられたときに取付面部材５０，５４からヒレ部７０の突出量だけ離間するため、より容易に所望のディスク２６のケース２８を探したり、取り出したりすることができる。また、カバー部材３２に上記実施形態の溝状の被連結部３６を形成し、取付面部材５０には、溝部５８の代わりに被連結部が連結される凸条部が形成されていても良い。
【００２７】
次にこの発明の第四実施形態について、図７に基づいて説明する。この実施形態の加除式ディスクケース７２は、上記第二実施形態と同様に、袋形のカバー部材３２が設けられ、カバー部材３２の側面には連結部３４が設けられている。カバー部材３２の開口縁３２ａには、係止部材３８と止め部４０、係止部４２が設けられている。カバー部材３２の内周面にはクッション材４４が設けられている。
【００２８】
加除式ディスクケース７２には、カバー部材３２を取り付ける外装部材７４が設けられている。外装部材７４は、第三実施形態の外装部材４８と同様の構成であり、一定厚みの取付面部材５０，５２，５４，５６が、互いに平行に連接して形成されている。取付面部材５２，５６の連接方向の長さは取付面部材５０，５４よりも僅かに短く形成され、取付面部材５０，５２，５４，５６を筒形に組み立てたとき、開口部が大きい箱体となる。取付面部材５０，５４には各々４個の溝部５８が形成されている。取付面部材５０に連続する上蓋片６０には、上蓋片６４に係止される止め部７６が外側に突出して設けられている。
【００２９】
この実施形態の加除式ディスクケース７２の使用方法は、第三実施形態と同様である。カバー部材３２は、ここでは８個が一定の方向に並べられて収容されている。
【００３０】
この実施形態の加除式ディスクケース７２によれば、上記実施形態と同様の効果を有するものである。外装部材７４が箱形であるため安定して任意の場所に載置することができ、また上蓋片６０，６４を開くと大きい開口部が形成され、目的のディスク２６のケース２８を簡単に捜すことができる。ケース２８は、一定の方向に並べられて略垂直に保持されるため、探しやすく、取り出しも簡単である。
【００３１】
次にこの発明の第五実施形態について、図８に基づいて説明する。この実施形態の加除式ディスクケース７６は、収容袋７７が設けられている。収容袋７７は、気泡状緩衝材や発泡材等の緩衝材で作られた所定の厚みの袋本体７８が設けられ、内側に仕切り７９が挟まれて、内側が２空間に区切られている。袋本体７８の開口縁７８ａ近傍の内周面と仕切り７９には、互いに対向し着脱する面ファスナ等の開閉部材８２が設けられ、袋本体７８の端部７８ａが綴じ代となっている。
【００３２】
加除式ディスクケース７６には、収容袋７７を綴じる表紙８４が設けられている。表紙８４の間が袋本体７８の綴じ部となっており、収納袋７７が綴じられる。
【００３３】
次にこの実施形態の加除式ディスクケース７６の使用方法について説明する。加除式ディスクケース７６の収容袋７７の中にディスク２６が入ったケース２８を入れる。一つの収容袋７８は仕切り７９により二つに区切られているため、２枚のケース２８を入れることができる。
【００３４】
この実施形態の加除式ディスクケース７６によれば、上記実施形態と同様の効果を有するものである。さらに、多数の収容袋７７を取り付けることができ、ディスク２６が入ったケース２８の収容量を簡単に変更することができる。
【００３５】
なお、加除式ディスクケース７６は、図９に示すように収容袋７８の深さ方向の長さを約２倍にして、上下２段にディスク２６を収容可能としてもよい。これにより一つの収容袋７８に４枚のケース２８が収容可能となり、より多くの収容量をもたせることができる。
【００３６】
なお、この発明の加除式ディスクケースは、上記各実施形態に限定されるものではなく、各部材の形状や素材は自由に変更可能である。加除式ディスクケースを加除式に束ねたり閉じたりする構造は、上記実施形態以外に適宜変更可能であり、バインダに袋本体を着脱自在に設けても良い。さらに、外装部材の形状は適宜変更可能であり、例えば箱形の外装部材の上蓋片を、加除式ディスクケースの収容部と別体に設けても良い。
【図面の簡単な説明】
【００３７】
【図１】この発明の第一実施形態の加除式ディスクケースの斜視図である。
【図２】この発明の第二実施形態の加除式ディスクケースの斜視図である。
【図３】この発明の第二実施形態の加除式ディスクケースを連結した状態を示す斜視図である。
【図４】この発明の第三実施形態の加除式ディスクケースの斜視図である。
【図５】この発明の第三実施形態の加除式ディスクケースの拡大斜視図である。
【図６】この発明の第三実施形態の加除式ディスクケースの変形例を示す斜視図である。
【図７】この発明の第四実施形態の加除式ディスクケースの斜視図である。
【図８】この発明の第五実施形態の加除式ディスクケースの斜視図である。
【図９】この発明の第五実施形態の加除式ディスクケースの変形例を示す斜視図である。
【符号の説明】
【００３８】
１０  加除式ディスクケース
１２  箱形カバー
１４  係止部材
１６  上蓋片
１８  重ね片
２０  被係止部
２２，４４  クッション材
２４  収容空間
２６  ディスク
２８  ケース
３２  カバー部材
３４  連結部
３６  被連結部
４０  止め部
４８  外装部材
５８  溝部
【図１】
2008290765.tif 000003
【図２】
2008290765.tif 000004
【図３】
2008290765.tif 000005
【図４】
2008290765.tif 000006
【図５】
2008290765.tif 000007
【図６】
2008290765.tif 000008
【図７】
2008290765.tif 000009
【図８】
2008290765.tif 000010
【図９】
2008290765.tif 000011
【手続補正書】
【提出日】平成19年12月26日(2007.12.26)
【手続補正１】
【補正対象書類名】特許請求の範囲
【補正対象項目名】全文
【補正方法】変更
【補正の内容】
【特許請求の範囲】
【請求項１】
袋形のカバー部材と、前記カバー部材の内周面に取り付けられた緩衝性を有するクッション材と、前記カバー部材の側面に設けられた連結部と、前記カバー部材の側面の前記連結部と反対側に設けられ前記連結部が連結される被連結部と、前記カバー部材を覆う外装部材が設けられ、前記外装部材には、前記カバー部材の前記連結部が連結される溝部または前記被連結部が連結される凸条部が複数個設けられていることを特徴とする加除式ディスクケース。